【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
複数のパケットのそれぞれの優先順位を決定し、
高い方の優先順位を有するパケットが低い方の優先順位を有するパケットの前に送信される可能性が高い状態で、通信媒体を介して前記パケットを無線で送信する、段階からなる方法。
【請求項２】
各パケットの前記優先順位は各パケットごとの優先情報に基づいて決定されることを特徴とする請求項１に記載の方法。
【請求項３】
前記優先情報は各パケットの形式を含むものであることを特徴とする請求項２に記載の方法。
【請求項４】
前記各パケットの形式は、データパケット、音声パケット、管理パケットの一つを含むことを特徴とする請求項３に記載の方法。
【請求項５】
各パケットの前記優先順位は各パケットに割り当てられた優先順位に基づいて決定されるものであることを特徴とする請求項２に記載の方法。
【請求項６】
各パケットの前記優先順位は、該優先順位を示す別のデータへの参照に基づいて決定されることを特徴とする請求項２に記載の方法。
【請求項７】
前記別のデータは前記パケットのプロトコルであることを特徴とする請求項６に記載の方法。
【請求項８】
前記別のデータは前記パケットの行先であることを特徴とする請求項６に記載の方法。
【請求項９】
前記優先情報は各パケットの長さと、各パケットのフラグうち一つを含むことを特徴とする請求項２に記載の方法。
【請求項１０】
前記パケットは前記優先順位に基づいて送信待ち行列内に配列されるものであることを特徴とする請求項１に記載の方法。
【請求項１１】
前記送信待ち行列は複数の送信待ち行列であり、各送信待ち行列は前記パケットの優先順位の一つに対応するものであることを特徴とする請求項１０に記載の方法。
【請求項１２】
前記送信待ち行列は複数の送信待ち行列であり、各送信待ち行列は前記パケットの行先に対応するものであることを特徴とする請求項１０に記載の方法。
【請求項１３】
前記各パケットの前記優先順位を求める段階は、各パケットの受け取り時間を求める段階を含むことを特徴とする請求項１に記載の方法。
【請求項１４】
それぞれが無線で送信されるパケットを受信するための受信機を含む複数の遠隔端末と、
それぞれが、前記遠隔端末の一つの行先を有するパケットを通信媒体から受信するようになったアクセスポイントと、を備え、
前記アクセスポイントは前記パケットのそれぞれの優先順位を決定し、高い方の優先順位を有するパケットが低い方の優先順位を有するパケットよりも前に送信される可能性が高いように、各パケットを前記行先遠隔端末へ無線で通信するようになっていることを特徴とするシステム。
【請求項１５】
前記アクセスポイントは各パケットの優先情報に基づいて各パケットの前記優先順位を決定することを特徴とする請求項１４に記載のシステム。
【請求項１６】
前記優先情報は各パケットの形式を含むことを特徴とする請求項１５に記載のシステム。
【請求項１７】
前記各パケットの形式は、データパケット、音声パケット、及び管理パケットの一つを含むものであることを特徴とする請求項１６に記載のシステム。
【請求項１８】
前記アクセスポイントは、各パケットの割り当てられた優先順位に基づいて各パケットの前記優先順位を決定することを特徴とする請求項１４に記載のシステム。
【請求項１９】
前記アクセスポイントは前記優先順位を表す別のデータに対する参照に基づいて各パケットの前記優先順位を決定することを特徴とする請求項１４に記載のシステム。
【請求項２０】
前記別のデータは前記パケットのプロトコルであることを特徴とする請求項１９に記載のシステム。
【請求項２１】
前記別のデータは前記パケットの行先であることを特徴とする請求項１９に記載のシステム。
【請求項２２】
前記優先情報は、各パケットの長さと各パケット内のフラグの一つを含むものであることを特徴とする請求項１５に記載のシステム。
【請求項２３】
前記アクセスポイントは送信待ち行列を実行するメモリを含み、前記パケットは前記優先順位に基づいて前記伝送待ち行列内に配列されることを特徴とする請求項１４に記載のシステム。
【請求項２４】
前記送信待ち行列は複数の送信待ち行列であり、各送信待ち行列は前記遠隔端末の一つに対応するようになっており、前記パケットは、各パケットの前記行先遠隔端末に対応する前記送信待ち行列内の前記優先順位に基づいて配列されるようになっていることを特徴とする請求項２３に記載のシステム。
【請求項２５】
前記アクセスポイントは、該アクセスポイントによる少なくとも各パケットの受け取り時間に基づいて各パケットの優先度を求めるものであることを特徴とする請求項１４に記載のシステム。
【請求項２６】
前記アクセスポイントはさらに別のパケットを受け取り、該パケットのそれぞれの優先順位を決定し、高い方の優先順位を有する別のパケットが低い方の優先順位の送信されていないパケットの前に伝送される可能性が高くなるように、前記別のパケットの各々を前記行先遠隔端末へ無線で伝送するようになっていることを特徴とする請求項１４に記載のシステム。
【請求項２７】
高い方の優先順位を有する付加パケットは、低い方の優先順位を有する付加的なパケットの前に送信される可能性が高い状態で、前記遠隔端末の少なくとも一つが前記アクセスポイントへ前記付加的なパケットを無線で送信することを特徴とする請求項１４に記載のシステム。
【請求項２８】
それぞれが遠隔端末行先を有するパケットを通信媒体から受信し、前記各パケットの優先順位を求めるプロセッサを有する受信機と、
高い方の優先順位を有するパケットが、低い方の優先順位を有するパケットの前に送信される可能性が高い状態で、各パケットを行先遠隔端末へ無線で送信する送信機と、を備えることを特徴とするアクセスポイント。
【請求項２９】
前記プロセッサは、各パケットの優先情報に基づいて各パケットの前記優先順位を決定するものであることを特徴とする請求項２８に記載のアクセスポイント。
【請求項３０】
前記優先順位は、各パケットの形式を含むものであることを特徴とする請求項２９に記載のアクセスポイント。
【請求項３１】
前記各パケットの形式は、データパケット、音声パケット及び管理パケットの一つを含むものであることを特徴とする請求項３０に記載のアクセスポイント。
【請求項３２】
前記プロセッサは、各パケットの割り当てられた優先順位に基づいて各パケットの優先順位を決定するものであることを特徴とする請求項２８に記載のアクセスポイント。
【請求項３３】
前記プロセッサは、前記優先順位を示す別のデータへの参照に基づいて各パケットの優先順位を求めるものであることを特徴とする請求項２８に記載のアクセスポイント。
【請求項３４】
前記別のデータは前記パケットのプロトコルであることを特徴とする請求項３３に記載のアクセスポイント。
【請求項３５】
前記別のデータは前記パケットの行先であることを特徴とする請求項３３に記載のアクセスポイント。
【請求項３６】
前記優先情報は、各パケットの長さと、各パケット内のフラグの一つを含むことを特徴とする請求項２９に記載のアクセスポイント。
【請求項３７】
前記求められた優先順位に基づいた順番に前記パケットを記憶する送信待ち行列を実行するメモリを有することを特徴とする請求項２８に記載のアクセスポイント。
【請求項３８】
前記送信待ち行列が複数の送信待ち行列であり、各送信待ち行列は前記パケットの行先に対応するものであることを特徴とする請求項３７に記載のアクセスポイント。
【請求項３９】
前記送信待ち行列は、複数の送信待ち行列であり、各送信待ち行列は前記パケットの優先順位の一つに対応するものであることを特徴とする請求項３７に記載のアクセスポイント。
【請求項４０】
前記プロセッサは、前記アクセスポイントによる各パケットの少なくとも受け取り時間に基づいて、前記パケットの前記優先順位を判断するものであることを特徴とする請求項２８に記載のアクセスポイント。
【請求項４１】
前記プロセッサは、さらにパケットを受信し、該さらなる別のパケットのそれぞれの優先順位を決定し、前記送信機は、前記別のパケットの各々を前記行先遠隔端末へ無線で送信し、優先順位の高い方のパケットが低い方の優先順位を有するまだ送信されていないパケットの前に送信される可能性が高くなっていることを特徴とする請求項２８に記載のアクセスポイント。
【請求項４２】
前記送信機はトランシーバであることを特徴とする請求項２８に記載のアクセスポイント。
【請求項４３】
複数のパケットのそれぞれの優先順位を決定し、
前記パケットを通信媒体を介して無線で送信する、段階からなり、
高い方の優先順位を有するパケットの送信が低い方の優先順位を有するパケットの前に実行されるようになっている方法。
【請求項４４】
パケットを受信し、該パケットのそれぞれの優先順位を求めるプロセッサと、
高い方の優先順位を有するパケットが、低い方の優先順位を有するパケットの前に送信される可能性が高い状態で、各パケットを無線で行先へ送信する送信機と、からなるモバイル装置。
【請求項４５】
無線で送信されたパケットを受信する複数の受信手段と、
通信媒体から前記パケットを受信する送信手段と、からなり、
前記各パケットは、前記受信手段の1つの行先を有しており、前記送信手段は、前記各パケットの優先順位を求め、各パケットを前記行先受信手段へ無線で送信し、高い方の優先順位を有するパケットが低い方の優先順位を有するパケットの前に送信される可能性が高いことを特徴とするシステム。
【請求項４６】
各々が遠隔端末行先を有するパケットを通信媒体から受信する、前記各パケットの優先順位を求めるプロセッサ手段を有する受信手段と、
各パケットを行先遠隔端末へ無線で送信する送信手段と、を備え、優先順位の高い方のパケットが優先順位の低い方のパケットの前に送信される可能性が高いことを特徴とするアクセスポイント。
【請求項４７】
パケットを受信し、該各パケットの優先レベルを求めるプロセッサ手段と、
高い方の優先順位を有するパケットが低い方の優先順位を有するパケットの前に送信される可能性が高いように、前記各パケットを行先へ無線で送信する送信手段と、からなるモバイル装置。